(57)【要約】【課題】特定の移動体の影響を受けずに最適な速度を案内することができる情報送信装置および情報提示装置を提供する。【解決手段】サーバ２０は、通信部２１が、複数の車載装置１０のそれぞれから、自車情報を収集し、生成部２２が、通信部２１が収集した車速情報と位置情報とに基づいて、所定の位置における移動速度の分布を示す速度分布情報２３ａを生成して車載装置３０からの要求に応じて送信する。【選択図】図１
2020057426.tif 000002
【特許請求の範囲】
【請求項１】
移動体に配置される情報提示装置であって、
所定の位置における複数の他の移動体の移動速度の分布である速度分布情報を取得する分布情報取得部と、
前記所定の位置における前記移動体の移動速度と前記速度分布情報とを対応付けて表示する表示部と、
を備えることを特徴とする情報提示装置。
【発明の詳細な説明】
【技術分野】
【０００１】
本発明は、移動体に情報を提示する情報提示装置に関する。
【背景技術】
【０００２】
従来から、進行方向に存在する道路を走行する際に適した支援を行う装置が知られている。例えば、特許文献１には、自車両が走行中の道路前方に存在する他車両を検知し、車車間通信を用いて他車両の走行状態を取得し、取得した他車両の走行状況に基づいて、自車の走行状態が進行方向の道路状況に適応するよう支援する。具体的には、他車両の走行軌跡を算出し、前方道路状況を推定する。推定した前方道路状況が含むカーブ形状から適正速度を算出し、自車両の状態と比較し、差があれば制御や報知を行うことが記載されている。
【先行技術文献】
【特許文献】
【０００３】
【特許文献１】特開２００６−２４１０４号公報
【発明の概要】
【発明が解決しようとする課題】
【０００４】
特許文献１に記載された車両の道路適応走行制御装置では、自車両が走行予定の経路を実際に走行した前方車両または対向車両などから、車車間通信を用いて速度情報を受信する。そのため、特定の車両の影響を受けてしまう。例えば、通信相手の車両の走行が荒い運転など適切な速度による走行でない場合には、最適な速度の案内をすることができないという問題がある。
【０００５】
そこで、本発明は、上述した問題に鑑み、例えば、特定の移動体の影響を受けずに最適な速度を案内することができる情報提示装置を提供することを課題とする。
【課題を解決するための手段】
【０００６】
上記課題を解決するために、請求項１に記載の発明は、移動体に配置される情報提示装置であって、複数の他の移動体が移動した位置に関する位置情報および移動した位置それぞれにおける前記他の移動体の移動速度に関する速度情報に基づいて生成された、所定の位置における移動速度の分布を示す速度分布情報を取得する分布情報取得部と、前記情報提示装置が配置された前記移動体の現在の移動速度を目盛上の位置を指し示すことにより表示する第１表示部と、前記速度分布情報を前記第１表示部に対応付けて表示する第２表示部と、を有する表示部と、を備えることを特徴としている。
【０００７】
請求項２に記載の発明は、移動体に配置される情報提示装置における情報提示方法であって、分布情報取得部が、複数の他の移動体が移動した位置に関する位置情報および移動した位置それぞれにおける前記他の移動体の移動速度に関する速度情報に基づいて生成された、所定の位置における移動速度の分布を示す速度分布情報を取得する分布情報取得工程と、表示部が、前記情報提示装置が配置された前記移動体の現在の移動速度を目盛上の位置を指し示すことにより表示する第１表示部および前記速度分布情報を前記第１表示部に対応付けて表示する第２表示部にそれぞれ表示させる表示工程と、を含むことを特徴としている。
【０００８】
請求項３に記載の発明は、請求項２に記載の情報提示方法を、コンピュータにより実行させることを特徴としている。
【０００９】
請求項４に記載の発明は、移動体に配置される情報提示装置であって、所定の位置における複数の他の移動体の移動速度の分布である速度分布情報を取得する分布情報取得部と、前記所定の位置における前記情報提示装置が配置された前記移動体の現在の移動速度と前記速度分布情報とを対応付けて表示する表示部と、を備えることを特徴としている。
【００１０】
請求項５に記載の発明は、移動体に配置される情報提示装置における情報提示方法であって、分布情報取得部が、所定の位置における複数の他の移動体の移動速度の分布である速度分布情報を取得する分布情報取得工程と、表示部が、前記所定の位置における前記情報提示装置が配置された前記移動体の現在の移動速度と前記速度分布情報とを対応付けて表示する表示工程と、を含むことを特徴としている。
【００１１】
請求項６に記載の発明は、請求項５に記載の情報提示方法を、コンピュータにより実行させることを特徴としている。
【図面の簡単な説明】
【００１２】
【図１】本発明の第１の実施例にかかる情報送信装置および情報提示装置のブロック構成図である。
【図２】カーブしている道路の一例である。
【図３】図２に示されたカーブの開始地点と終了地点の間を通過する際の最低速度の分布を示すグラフである。
【図４】図１に示された情報送信装置における適正速度の推定方法の説明図である。
【図５】図１に示された情報提示装置における速度分布情報の表示例の説明図である。
【図６】図１に示された情報送信装置における速度分布情報を生成する動作のフローチャートである。
【図７】図１に示された情報送信装置における適正速度を推定して送信する動作のフローチャートである。
【図８】図１に示された情報提示装置における自車情報生成動作のフローチャートである。
【図９】図１に示された情報提示装置における速度分布情報と適正速度の提示動作のフローチャートである。
【図１０】本発明の第２の実施例にかかる情報提示装置の適正速度推定と提示動作のフローチャートである。
【発明を実施するための形態】
【００１３】
以下、本発明の一実施形態にかかる情報送信装置を説明する。本発明の一実施形態にかかる情報送信装置は、収集部が、複数の第１移動体のそれぞれから、移動した位置に関する位置情報および移動した位置それぞれにおける第１移動体の移動速度に関する第１速度情報を収集し、生成部が、収集部が収集した位置情報および第１速度情報に基づいて、所定の位置における移動速度の分布を示す速度分布情報を生成し、送信部が、第２移動体からの要求に応じて、速度分布情報を送信する。このようにすることにより、複数の第１移動体の第１速度情報に基づく速度分布情報を生成し送信することができるので、その速度分布情報を参照させることで特定の移動体の影響を受けずに最適な速度を案内させることができる。
【００１４】
また、収集部は、位置情報に含まれる位置における環境情報を更に取得し、生成部は、更に環境情報に基づいて速度分布情報を生成するようにしてもよい。このようにすることにより、天候や気温あるいは走行時刻等の環境情報を考慮した速度分布情報を生成することができ、より最適な速度を案内させることができる。
【００１５】
また、収集部は、第１移動体の種類に関する情報を更に取得し、生成部は、更に第１移動体の種類に関する情報に基づいて速度分布情報を生成するようにしてもよい。このようにすることにより、第１移動体の車種や寸法および重量などの種類に関する情報を考慮した速度分布情報を生成することができ、より最適な速度を案内させることができる。
【００１６】
また、生成部は、複数の速度分布情報に基づいて、所定の位置における注意情報を更に生成してもよい。このようにすることにより、所定の位置の近傍における速度変化や環境の変化および移動体の種類の変化によって注意情報を生成することができ、速度分布情報と合わせて注意を喚起することができる。
【００１７】
また、生成部は、複数の位置における速度分布情報を生成し、第２移動体から、複数の位置を移動したときそれぞれの移動速度に関する第２速度情報を取得する第２速度取得部と、第２速度取得部が取得した第２速度情報および当該第２速度情報に対応する位置における速度分布情報に基づいて第２移動体の移動速度の傾向を判断し、判断した当該傾向と所定の位置における速度分布情報に基づいて第２移動体が所定の位置を移動する場合に適した適正速度を推定する推定部と、を更に備え、送信部は、適正速度に関する情報を更に送信するようにしてもよい。このようにすることにより、第２移動体が所定の位置を移動する際の適正速度を、過去に移動した際の任意の位置における速度と速度分布情報から推定することができる。したがって、第２移動体の傾向に合わせた速度を案内させることができる。
【００１８】
また、本発明の一実施形態にかかる情報提示装置は、上述した第２移動体に配置され、分布情報取得部が、速度分布情報を取得し、推定部が、分布情報取得部で取得した速度分布情報に基づいて、第２移動体が所定の位置を移動する場合に適した適正速度を推定し、提示部が適正速度に関する情報を提示している。このようにすることにより、情報送信装置から取得した速度分布情報に基づいて第２移動体が移動するに適した速度を推定することができ、最適な速度を案内することができる。
【００１９】
また、本発明の一実施形態にかかる情報提示装置は、上述した第２移動体に配置され、分布情報取得部が、速度分布情報を取得し、表示部が、第２移動体の現在の移動速度を目盛上の位置を指し示すことにより表示する第１表示部と、速度分布情報を第１表示部に対応付けて表示する第２表示部を有している。このようにすることにより、例えば速度メータに速度分布情報を対応付けて表示させることができる。したがって、使用者に注意を促し易くすることができる。
【００２０】
また、本発明の一実施形態にかかる情報送信方法は、収集工程で、移動した位置に関する位置情報および移動した位置それぞれにおける第１移動体の移動速度に関する第１速度情報を収集し、生成工程で、収集部で収集された位置情報および第１速度情報に基づいて、所定の位置における移動速度の分布を示す速度分布情報を生成し、送信工程で、第２移動体からの要求に応じて、速度分布情報を送信する。このようにすることにより、複数の第１移動体の第１速度情報に基づく速度分布情報を生成し送信することができるので、その速度分布情報を参照させることで特定の移動体の影響を受けずに最適な速度を案内させることができる。
【００２１】
また、上述した情報送信方法をコンピュータにより実行させる情報送信プログラムとしてもよい。このようにすることにより、コンピュータを用いて、複数の第１移動体の第１速度情報に基づく速度分布情報を生成し送信することができるので、その速度分布情報を参照させることで特定の移動体の影響を受けずに最適な速度を案内させることができる。また、コンピュータにより実行されるプログラムであるので、専用のハードウェア等が不要となり、汎用の情報処理装置等にインストールして機能させることができる。
【００２２】
また、上述した情報送信プログラムをコンピュータ読み取り可能な記録媒体に格納してもよい。このようにすることにより、当該プログラムを機器に組み込む以外に単体でも流通させることができ、バージョンアップ等も容易に行える。
【００２３】
また、本発明の一実施形態にかかる情報提示方法は、上述した第２移動体で実行され、分布情報取得工程で、速度分布情報を取得し、推定工程で、分布情報取得部で取得した速度分布情報に基づいて、第２移動体が所定の位置を移動する場合に適した適正速度を推定し、提示工程で、適正速度に関する情報を提示している。このようにすることにより、情報送信装置から取得した速度分布情報に基づいて第２移動体が移動するに適した速度を推定することができ、最適な速度を案内することができる。
【００２４】
また、上述した情報提示方法をコンピュータにより実行させる情報提示プログラムとしてもよい。このようにすることにより、コンピュータを用いて、情報送信装置から取得した速度分布情報に基づいて第２移動体が移動するに適した速度を推定することができ、最適な速度を案内することができる。また、コンピュータにより実行されるプログラムであるので、専用のハードウェア等が不要となり、汎用の情報処理装置等にインストールして機能させることができる。
【００２５】
また、上述した情報提示プログラムをコンピュータ読み取り可能な記録媒体に格納してもよい。このようにすることにより、当該プログラムを機器に組み込む以外に単体でも流通させることができ、バージョンアップ等も容易に行える。
【００２６】
また、本発明の一実施形態にかかる情報提示方法は、上述した第２移動体で実行され、分布情報取得工程で、速度分布情報を取得し、表示工程で、第１表示部に第２移動体の現在の移動速度を目盛上の位置を指し示すことにより表示させ、第２表示部に速度分布情報を第１表示部に対応付けて表示させている。このようにすることにより、例えば速度メータに速度分布情報を対応付けて表示させることができる。したがって、使用者に注意を促し易くすることができる。
【００２７】
また、上述した情報提示方法をコンピュータにより実行させる情報提示プログラムとしてもよい。このようにすることにより、コンピュータを用いて、例えば速度メータに速度分布情報を対応付けて表示させることができる。したがって、使用者に注意を促し易くすることができる。また、コンピュータにより実行されるプログラムであるので、専用のハードウェア等が不要となり、汎用の情報処理装置等にインストールして機能させることができる。
【００２８】
また、上述した情報提示プログラムをコンピュータ読み取り可能な記録媒体に格納してもよい。このようにすることにより、当該プログラムを機器に組み込む以外に単体でも流通させることができ、バージョンアップ等も容易に行える。
【実施例１】
【００２９】
本発明の第１の実施例にかかる情報送信装置および情報提示装置を図１乃至図９を参照して説明する。車載装置１０は、第１移動体として自動車等に配置され、自車の位置と当該位置における速度情報などを自車情報としてサーバ２０に送信する。なお、車載装置１０は図１に示したように複数の第１移動体に配置され、それぞれの自車情報をサーバ２０に送信する。
【００３０】
情報送信装置としてのサーバ２０は、複数の車載装置１０および気象サーバ４０から取得した自車の位置と当該位置における速度情報と天候などの気象情報に基づいて、後述する速度分布情報２３ａを生成する。そして、車載装置３０の要求に応じて速度分布情報２３ａから適正速度を推定して速度分布情報２３ａとともに送信する。
【００３１】
また、サーバ２０は、図１では１つのサーバで構成されていたが、例えば演算サーバと配信サーバなど、各構成部が別のサーバに設けられていてもよい。即ち、サーバ２０は複数のサーバ群で構成されていてもよい。勿論各サーバは互いに離れた位置に設置され、ネットワーク等を通じて通信し合うように構成されていてもよい。
【００３２】
情報提示装置としての車載装置３０は、第２移動体としての自動車等に配置され、これから走行する位置における適正速度と速度分布情報２３ａをサーバ２０から取得して提示する。車載装置３０は、車載装置１０と同様に自車の位置と当該位置における速度情報などをサーバ２０に送信する。図１では車載装置３０（第２移動体）は、１つのみ示しているが、勿論複数あってもよい。
【００３３】
気象サーバ４０は、サーバ２０からの要求に応じて所定の位置の天候や気温などの環境情報を送信する。
【００３４】
そして、車載装置１０、３０、気象サーバ４０は、インターネットや公衆回線または専用回線等を介してサーバ２０と有線または無線により接続されている。なお、車載装置１０、３０は、本実施例では自動車に配置されるとして説明するが、自動二輪車や自転車等の移動体に配置されてもよい。また、車載装置１０、３０が配置される移動体は、後述するように適正速度を提示するため、自動車同士や自転車同士など同じ種類または近い速度で移動することができるような移動体であることが好ましい。
【００３５】
次に、上述した各装置の構成を説明する。車載装置１０は、ＧＰＳ部１１と、自車情報
生成部１２と、通信部１３と、を備えている。
【００３６】
ＧＰＳ部１１は、公知であるように複数のＧＰＳ（Global Positioning System）衛星から発信される電波を受信して、自車の位置情報を求めて自車情報生成部１２に出力する。なお、本実施例では、ＧＰＳ部１１が車載装置１０に一体に設けられている例を示すが、ＧＰＳ部１１が別体として構成され、車載装置１０と着脱自在となっていてもよい。また、本実施例では、自車の位置を検出する手段としてＧＰＳを利用するが、それに限らず、自立センサ等他の方法を用いてもよい。
【００３７】
自車情報生成部１２は、例えばＲＡＭ（Random Access Memory）やＲＯＭ（Read Only Memory）などのメモリを備えたＣＰＵ（Central Processing Unit）で構成されている。自車情報生成部１２は、ＧＰＳ部１１から入力された自車の位置における車速情報やワイパー、ヘッドライト等の動作情報などを含む車両情報を、自車の位置情報とともに自車情報として生成する。この自車情報の生成は、例えば一定時間間隔や一定距離間隔で行えばよい。即ち、自車情報は、移動した位置に関する位置情報および移動した位置それぞれにおける前記第１移動体の移動速度に関する第１速度情報を含む。
【００３８】
通信部１３は、自車情報生成部１２が生成した自車情報をサーバ２０に送信する。
【００３９】
サーバ２０は、通信部２１と、生成部２２と、格納部２３と、を備えている。
【００４０】
収集部、送信部、としての通信部２１は、車載装置１０と車載装置３０から自車情報を受信するとともに、気象サーバ４０から環境情報を受信する。また、通信部２１は、生成部２２が生成した適性速度情報と速度分布情報２３ａを車載装置３０に送信する。即ち、位置情報および第１速度情報を収集している。また、環境情報を収集している。さらに、第２移動体からの要求に応じて、速度分布情報２３ａを送信している。
【００４１】
生成部、推定部としての生成部２２は、例えば自車情報生成部１２と同様にＣＰＵで構成されている。生成部２２は、通信部２１が収集した自車情報と環境情報に基づいて後述する速度分布情報２３ａを生成し格納部２３に格納する。そして、車載装置３０からの要求に応じて、速度分布情報２３ａから車載装置３０が配置されている移動体の移動先における適正速度を推定する。
【００４２】
格納部２３は、例えばハードディスクや半導体メモリなどの不揮発性の記憶媒体で構成されている。格納部２３は、生成部２２が生成した速度分布情報２３ａや他の情報等を格納する。
【００４３】
車載装置３０は、通信部３１と、解釈部３２と、ＧＰＳ部３３と、提示部３４と、自車情報生成部３５と、を備えている。
【００４４】
分布情報取得部としての通信部３１は、サーバ２０に対して、サーバ２０から適正速度情報と速度分布情報２３ａを受信する。また、通信部３１は、自車情報生成部３５が生成した自車情報をサーバ２０に送信する。
【００４５】
解釈部３２は、通信部３１が受信した適性速度情報と速度分布情報２３ａを提示部３４に出力する。
【００４６】
提示部３４は、解釈部３２から入力された適正速度情報と速度分布情報２３ａを例えば運転者に提示する。提示方法は後述する。
【００４７】
ＧＰＳ部３３は、車載装置１０のＧＰＳ部１１と同様である。自車情報生成部３５は、自車情報に車載装置３０が配置されている自動車（第２移動体）であることを識別するための識別情報（ＩＤ等の固有な情報）を含める以外は車載装置１０の自車情報生成部１２と同様である。この識別情報は後述する適正速度を推定する際に参照される。つまり、本実施例において、車載装置３０が配置される自動車は第１移動体としての機能も併せ持つ。
【００４８】
次に、車載装置１０、３０で生成されてサーバ２０に送信される自車情報から生成する速度分布情報２３ａについて説明する。速度分布情報２３ａとは、道路上のある地点（位置）の自動車等の速度の分布を示す情報である。即ち、所定の位置における移動速度の分布を示す情報である。具体例を図２および図３を参照して説明する。
【００４９】
図２は、あるカーブしている道路を示し、図３は、図２で示したカーブの開始地点と終了地点の間を通過する際の最低速度の分布を示すグラフである。生成部２２は、車載装置１０、３０から収集した自車情報から必要に応じて図３に示したような分布を速度分布情報２３ａとして生成し、格納部２３に格納する。速度分布情報２３ａを格納部２３に格納する際には、位置情報と関連付けて格納するのは勿論であるが、それに加えて、カーブや交差点といった属性情報を付加してもよい。属性情報は、例えば格納部２３に地図情報を格納し、当該地図情報を参照することで付加することができる。
【００５０】
この速度分布情報２３ａは、道路上全ての地点（位置）に対して生成してもよいし、あるいは特定の地点についてのみ生成するようにしてもよい。例えば、生成部２２は、地図情報を参照することによって静的に特定される地点（カーブ地点、道幅が狭い地点、見通しが悪い地点、等）について、速度分布情報２３ａを生成してもよい。
【００５１】
また、生成部２２は、実際の情報（走行速度の情報、事故が発生した位置の情報、等）を取得し、これらを参照することで動的に特定される地点（速度の変化が急峻な地点、急ブレーキが発生した地点、事故が発生した地点、等）について、速度分布情報２３ａを生成するようにしてもよい。このような動的に特定される地点は、地図情報を参照するだけでは読み取れない危険要因の存在を、収集したデータ等から推定することで特定される地点である。
【００５２】
また、生成部２２は、本装置のユーザーによって手動で設定された地点や、他車両における本装置のユーザーからの投票（走行に注意が必要であるとユーザーが感じた地点情報）を集計することによって特定される地点等の地点について速度分布情報２３ａを生成するようにしてもよい。
【００５３】
なお、この速度分布情報２３ａは、気象サーバ４０から受信した天候や気温などの気象情報に基づいて、晴天、雨天などの天候ごとや、０℃、３０℃など気温ごとに生成してもよい。また、夜間や昼間など時間帯ごとに生成してもよい。時間帯はサーバ２０が時計機能を持っていてもよいし、自車情報に時間情報を含めるようにしてもよい。即ち、環境情報に基づいて、速度分布情報を生成してもよい。
【００５４】
さらには、車種や重量あるは車両の寸法ごとに速度分布情報２３ａを生成してもよい。勿論自動車や自動二輪車、自転車など移動体の種別ごとに速度分布情報２３ａを生成してもよい。なお、これら移動体の種類に関する情報（車種、重量、寸法、移動体の種別など）は、自車情報に含めるようにすればよい。即ち、収集部は、第１移動体の種類に関する情報を更に収集し、生成部は、更に第１移動体の種類に関する情報に基づいて速度分布情報を生成してもよい。
【００５５】
また、自車情報に含まれるワイパーの動作情報で天気を識別してもよい。また、自車情報に含まれるヘッドライトの動作情報で時間帯を識別してもよい。
【００５６】
なお、気象情報や移動体の種類に関する情報に基づいて、天候別や車種別などに速度分布情報２３ａを生成した場合、単に晴天、雨天別や、小型車、大型車別などに速度分布情報２３ａが生成できるだけでなく、同じ位置における速度分布情報２３ａを比較することで、道路の注意度を推定することができる。
【００５７】
例えば、晴天時に比べて悪天候時に低速度の自動車が多い位置は路面が荒れていると推定できる。また、小型車に比べて大型車が低速で通過する傾向にある位置は道幅が狭いと推定できる。このような情報を注意情報として速度分布情報に含ませてもよい。この注意情報は、路面が荒れているや道幅が狭いといった直接的な情報に限らず、注意度を大、中、小や、数値化、あるいは色別などで示した情報などとしてもよい。
【００５８】
また、注意情報は、カーブの開始地点の速度分布情報２３ａと最低速度の速度分布情報２３ａとを比較し、速度差が大きい場合は、急な減速が行われていると推定して注意度を高くしてもよい。
【００５９】
以上のように、生成部２２は、複数の速度分布情報２３ａ（例えば晴天および雨天、小型車および大型車、開始地点の速度と最低速度等）に基づいて、所定の位置における注意情報を更に生成してもよい。
【００６０】
次に、速度分布情報２３ａから適正速度を推定する方法を図４を参照して説明する。図４に示したように、車載装置３０が配置されている自動車（自車）が過去に走行した位置Ｘ、位置Ｙの速度分布情報２３ａから、自車が通過したときの速度を識別情報から検索して、当該速度の分布における位置を特定する。図４の例では、分布に対して中心よりも低めの速度で通過している。このことから、自車は慎重な運転あるいは未熟な運転であると推定する。したがって、接近している位置Ａにおける適正速度は、中心よりも低めの速度を推定する。
【００６１】
ここで、特許請求の範囲の、第２速度取得部が取得した第２速度情報および当該第２速度情報に対応する位置における速度分布情報に基づいて第２移動体の移動速度の傾向を判断する部分は、過去に走行した位置Ｘ、位置Ｙの速度分布情報２３ａから、自車が通過したときの速度を識別情報から検索して、当該速度の分布における位置を特定することが対応する。特許請求の範囲の、判断した当該傾向と所定の位置における速度分布情報に基づいて第２移動体が前記所定の位置を移動する場合に適した適正速度を推定する部分は、図４の例では、分布に対して中心よりも低めの速度で通過しているので、自車は慎重な運転あるいは未熟な運転であると推定され、接近しているカーブ（位置Ａ）における適正速度は、中心よりも低めの速度を推定することが対応する。
【００６２】
なお、この推定方法において、位置Ａの適正速度を推定する際に使用する過去に走行した位置Ｘ，Ｙは、位置Ａとは異なる位置であってもよいし、位置Ａを過去に走行したことがある場合は位置Ａを含めてもよい。勿論２か所に限らず１か所または３か所以上の速度分布情報２３ａから推定してもよい。なお、この位置Ｘ，Ｙは、無作為に選択するようにしてもよいし、位置Ａの曲率半径や車線数など条件が近い位置を選択するようにしてもよい。あるいは、過去に走行した全ての速度分布情報２３ａの位置の平均値などを走行するごとに逐次更新するようにしてその平均値から推定するようにしてもよい。
【００６３】
また、この推定方法において、運転者ごとの適正速度を推定するようにしてもよい。この場合、例えば、本装置が運転者を識別する識別部を有するようにしておき、自車の速度を、識別した運転者ごとに管理・記憶するようにすればよい。
【００６４】
次に、提示部３４における速度分布情報２３ａと、適正速度情報の提示の例を説明する。図５は、速度分布情報２３ａの提示例である。図５（ａ）は、目盛３４ｂが略楕円形状に表示されて、指針３４ｃで自車の速度を指し示す公知の速度計３４ｄの目盛３４ｂの外周に表示枠３４ｅを設けたメータ３４ａである。表示枠３４ｅは、目盛３４ｂの外周に設けられた表示装置であり、例えば液晶ディスプレイなどで構成されて、後述するように速度分布情報２３ａに基づいて明暗や色別の表示をする。
【００６５】
表示部としてのメータ３４ａは、第２表示部としての表示枠３４ｅに分布の範囲を表示する。例えば、分布が多い速度は明るい表示、分布が少ない速度は暗い表示とする。このようにすることで、速度分布情報を第１表示部としての速度計に示されている自車速度と合わせて直感的に認識することができる。
【００６６】
また、自車速度と比較して色を変更してもよい。例えば図５（ａ）は、分布が多い速度よりも自車速度が遅いので緑色とし、図５（ｂ）のように分布が多い速度よりも自車速度が速い場合は赤色とする。ここで、自車速度が分布速度よりも遅いという判断は、自車速度が速度分布から充分に安全な速度と推定される（例えば速度分布の下位３０％以内の速度である）場合になされるものであり、自車速度が分布速度よりも「速い」いう判断は、自車速度が速度分布から危険な速度と推定される（例えば速度分布の上位３０％以内の速度である）場合になされるものである。
【００６７】
また、速度分布情報２３ａの提示は、図３などに示したグラフをそのまま、例えば、速度計や回転計などを有するメータ内に設けられたオドメータやトリップメータや警報等の各種走行情報を表示可能な表示装置に表示してもよい。また、車室内のインストルメントパネルに設けられている表示装置に表示してもよい。あるいはヘッドアップディスプレイ（ＨＵＤ）を備えている場合は当該ＨＵＤに表示させてもよい。
【００６８】
適正速度情報は、図５に示した表示枠３４ｅに速度計の目盛に対応付けてマーク等で表示するようにしてもよいし、メータ内の表示装置やインストルメントパネルに設けられている表示装置やＨＵＤ等に表示させてもよい。また、適正速度情報は音声で出力するようにしてもよい。
【００６９】
次に、サーバ２０と車載装置３０の動作をフローチャートを参照して説明する。図６および図７は、サーバ２０のフローチャートである。このフローチャートは、生成部２２で実行される。
【００７０】
図６は、速度分布情報を生成する動作のフローチャートである。まず、収集工程としてのステップＳ１１において、車載装置１０や車載装置３０から送信されてきた自車情報を収集してステップＳ１２に進む。このステップは、各車載装置（移動体）ごとに送信するタイミングが異なるため、各車載装置から受信するごとに実行される。なお、本ステップで気象サーバ４０から気象情報も収集している。
【００７１】
次に、生成工程としてのステップＳ１２において、ステップＳ１１で収集した自車情報から速度分布情報２３ａを生成してステップＳ１３に進む。つまり、自車情報から同じ位置情報となっている車速情報を図３などに示した分布に含めるようにする。このステップは、ステップＳ１１を実行した毎に行ってもよいし、所定時間間隔でその間に収集された自車情報に対してまとめて処理するようにしてもよい。
【００７２】
次に、ステップＳ１３において、ステップＳ１１で生成された速度分布情報２３ａを格納部２３に格納する。
【００７３】
サーバ２０は、図６のフローチャートを逐次実行することで速度分布情報２３ａを常に更新する。また、速度分布情報２３ａを生成するために利用する自車情報を過去１か月以内など期間を限定するようにしてもよい。このようにすることで、季節ごとや道路工事など道路状況の変化に合わせた速度分布情報２３ａを生成するができる。
【００７４】
図７は、車載装置３０（第２移動体）に対して適正速度を推定して送信する動作のフローチャートである。まず、ステップＳ２１において、車載装置３０からの自車情報を通信部２１を介して受信したか否かを判断し、受信した場合（ＹＥＳの場合）はステップＳ２２に進み、受信していない場合（ＮＯの場合）は本ステップを繰り返す。なお、本ステップで受信した自車情報は、図６のフローチャートに沿って速度分布情報２３ａの生成に用いてもよい。
【００７５】
次に、ステップＳ２２において、ステップＳ２１で受信した自車情報に含まれる位置情報とそれまでの自車情報に基づいて移動方向（移動経路）を推測し、移動方向に速度分布情報２３ａが生成されている位置が接近しているか否かを判断し、接近している場合（ＹＥＳの場合）はステップＳ２３に進み、そうでない場合（ＮＯの場合）はステップＳ２１に戻る。つまり、カーブや交差点など速度分布情報２３ａが生成されている位置に接近しているかを判断し、接近している場合にのみ適正速度の推定を行う。なお、接近しているか否かの基準は、一律に距離を設定してもよいし、自車情報に含まれる車速に応じて距離を設定するようにしてもよい。
【００７６】
次に、ステップＳ２３において、適正速度の推定が可能か否かを判断し、可能である場合（ＹＥＳの場合）はステップＳ２４に進み、可能でない場合（ＮＯの場合）はステップＳ２６に進む。適正速度は、上述したように過去の走行から推定するので、車載装置３０を配置した当初などで過去の走行履歴（車速情報）がない場合は推定できない。その場合は、後述するように速度分布情報２３ａのみを送信する。
【００７７】
次に、ステップＳ２４において、適正速度を推定してステップＳ２５に進む。適正速度の推定は、図４に示したように、過去に走行した位置の速度分布情報２３ａにおける位置から推定する。
【００７８】
次に、送信工程としてのステップＳ２５において、ステップＳ２４で推定した適正速度情報と当該位置における速度分布情報２３ａを通信部２１を介して車載装置３０に送信する。
【００７９】
ステップＳ２６においては、適正速度が推定できなかったので速度分布情報２３ａのみを通信部２１を介して車載装置３０に送信する。
【００８０】
図８および図９は、車載装置３０のフローチャートである。図８は、自車情報を送信する動作のフローチャートであり、自車情報生成部３５で実行される。なお、この動作は車載装置１０も同様である。まず、ステップＳ３１において、自車情報の送信タイミングであるか否かを判断し、送信タイミングである場合（ＹＥＳの場合）はステップＳ３２に進み、送信タイミングでない場合（ＮＯの場合）は本ステップを繰り返す。
【００８１】
次に、ステップＳ３２において、自車情報を生成して通信部３１を介してサーバ２０に送信する。
【００８２】
図９は、適正速度を提示する動作のフローチャートであり、解釈部３２で実行される。まず、分布情報取得工程としてのステップＳ４１において、サーバ２０から通信部３１を介して適正速度情報と速度分布情報２３ａを受信してステップＳ４２に進む。
【００８３】
次に、ステップＳ４２において、表示工程としての適正速度情報と速度分布情報２３ａを提示する。つまり、上述したように、表示枠３４ｅやメータ内などに表示したり、適正速度情報は音声で出力したりする。
【００８４】
なお、上述した説明では、車載装置３０は、適正速度は表示または音声出力するだけであったが、例えば、解釈部３２が車両情報に含まれる車速情報と比較して、車速が適正速度よりも速い場合にのみ適正速度情報を提示するようにしてもよい。
【００８５】
本実施例によれば、サーバ２０は、通信部２１が、複数の車載装置１０のそれぞれから、自車情報を収集し、生成部２２が、通信部２１が収集した車速情報と位置情報とに基づいて、所定の位置における移動速度の分布を示す速度分布情報２３ａを生成して車載装置３０からの要求に応じて送信する。このようにすることにより、複数の車載装置１０からの車速情報に基づく速度分布情報２３ａを生成することができるので、特定の移動体の影響を受けないようにすることができる。
【００８６】
また、生成部２２は、複数の速度分布情報２３ａを生成し、車載装置３０から、車載装置３０が配置されている第２移動体が過去に走行したときの車速情報が速度分布情報２３ａのどの位置にあるか傾向を判断する。そして、判断した当該傾向と第２移動体が接近している位置における速度分布情報に基づいて接近している位置の適正速度を生成部２２が推定し、通信部２１は、速度分布情報２３ａとともに適正速度情報を送信する。このようにすることにより、第２移動体が現在接近している位置を走行する際の適正速度を、過去に走行した位置の速度分布情報２３ａから推定することができる。したがって、第２移動体の傾向に合わせた速度を案内することができる。
【００８７】
また、通信部２１は、気象サーバ４０から環境情報を更に取得し、生成部２２は、更に環境情報に基づいて速度分布情報２３ａを生成している。このようにすることにより、天候や気温あるいは走行時刻等の環境情報を考慮した速度分布情報２３ａを生成することができ、より最適な速度を案内させることができる。
【００８８】
また、通信部２１は、車載装置１０が配置されている第１移動体の車種や重量あるは車両の寸法等の種類に関する情報を更に取得し、生成部２２は、更に第１移動体の種類に関する情報に基づいて速度分布情報２３ａを生成している。このようにすることにより、第１移動体の車種や寸法および重量などの種類に関する情報を考慮した速度分布情報２３ａを生成することができ、より最適な速度を案内させることができる。
【００８９】
また、車載装置３０は、第２移動体に配置され、通信部３１が、速度分布情報２３ａを取得し、メータ３４ａが、第２移動体の現在の走行速度を目盛３４ｂ上の位置を指し示すことにより表示する速度計３４ｄと、速度分布情報２３ａを速度計３４ｄの外周に表示する表示枠３４ｅを有している。このようにすることにより、速度計３４ｄに速度分布情報２３ａを対応付けて表示させることができる。したがって、運転者に注意を促し易くすることができる。
【００９０】
なお、上述した説明では、車載装置３０からの自車情報の送信を車載装置３０からの要求として、サーバ２０が適正速度の生成や速度分布情報２３ａ送信の要否を判断していたが、車載装置３０が自車情報の送信とは別に要求を行ってもよい。例えば、車載装置３０が地図情報を持ち、自車が走行している道路において、カーブや交差点などが接近した場合は、解釈部３２が適正速度情報と速度分布情報２３ａの要求を通信部３１を介してサーバ２０に送信する。この要求には、適正速度情報と速度分布情報２３ａを要求するカーブや交差点などの位置情報を含める。サーバ２０は、この要求を受信した場合に、当該要求に含まれる位置情報の適正速度情報を推定して速度分布情報２３ａとともに車載装置３０に送信する。
【００９１】
また、このような車載装置３０が自車情報の送信とは別に要求を行う場合において、サーバ２０から速度分布情報２３ａが生成されている位置の情報を定期的に受信するようにしてもよい。このようにすると、道路工事や事故多発地点など地図からは分からない位置においても適正速度情報やと速度分布情報２３ａの要求をすることができる。
【実施例２】
【００９２】
次に、本実施例の第２の実施例にかかる情報送信装置と情報提示装置を図１０を参照して説明する。なお、前述した第１の実施例と同一部分には、同一符号を付して説明を省略する。
【００９３】
第１の実施例は、サーバ２０が適正速度を推定していたが、本実施例は車載装置３０で適正速度を推定する。構成は図１と同様である。
【００９４】
本実施例では、サーバ２０は、車載装置３０からの要求に応じて速度分布情報２３ａのみを送信する。車載装置３０では、解釈部３２が、図４に示したように、過去に走行した任意の位置の速度分布情報２３ａから、自車が通過したときの速度を識別情報から検索して、当該速度の分布における位置を特定する。そして、接近している位置における適正速度を推定する。即ち、解釈部３２が、分布情報取得部が取得した速度分布情報に基づいて、第２移動体が前記所定の位置を移動する場合に適した適正速度を推定する推定部として機能する。
【００９５】
本実施例では、車載装置３０で図４に示したような推定を行うため、速度分布情報２３ａを受信した際における当該速度分布情報２３ａが示す位置の自車の車速情報を解釈部３２内または図示しないメモリ等に保存しておく。そして、受信した速度分布情報２３ａと自車の車速情報から分布の位置を特定する。そして、その分布の位置から傾向を判断する。
【００９６】
図１０に車載装置３０で適正速度を推定して提示する動作のフローチャートを示す。このフローチャートは解釈部３２で実行される。まず、分布情報取得工程としてのステップＳ５１において、サーバ２０から通信部３１を介して速度分布情報２３ａを受信してステップＳ５２に進む。
【００９７】
次に、ステップＳ５２において、適正速度の推定が可能か否かを判断し、可能である場合（ＹＥＳの場合）はステップＳ５３に進み、可能でない場合（ＮＯの場合）はステップＳ５５に進む。このステップは、図７のステップＳ２３と同様に、適正速度は、過去の走行から推定するので、車載装置３０を配置した当初などで過去の走行履歴（車速情報）がない場合は推定できない。その場合は、後述するように速度分布情報２３ａのみを提示する。
【００９８】
次に、推定工程としてのステップＳ５３において、適正速度を推定してステップＳ５４に進む。適正速度の推定は、上述したように、過去に走行した位置の速度分布情報２３ａにおける位置から推定する。
【００９９】
次に、提示工程としてのステップＳ５４において、適正速度（情報）と速度分布情報２３ａを提示してステップＳ５６に進む。つまり、第１の実施例と同様に、メータ内などに表示したり、適正速度情報は音声で出力したりする。
【０１００】
一方、ステップＳ５５においては、適正速度が推定できなかったので速度分布情報２３ａのみを提示してステップＳ５６に進む。
【０１０１】
次に、ステップＳ５６において、提示した速度分布情報２３ａと、それに対応する車速情報を保存する。このステップで保存した速度分布情報２３ａと車速情報は次回以降の適正速度の推定に利用される。
【０１０２】
なお、ステップＳ５６に代えて、提示した速度分布情報２３ａと、それに対応する車速情報から分布における傾向を分析して、その分析結果を保存するようにしてもよい。つまり、ステップＳ５６で保存した車速情報が対応する速度分布情報のどの位置にあるかを分析する。この場合、この分析結果のみを保存し、速度分布情報や車速情報は保存の必要が無い。分析結果のみを保存すれば、ステップＳ５３における適正速度の推定は可能である。または、第１の実施例と同様に、過去に走行した全ての速度分布情報２３ａの位置の平均値などを走行するごとに逐次更新して保存するようにしてもよい。この場合は位置ごとの分析結果も保存不要となる。
【０１０３】
本実施例によれば、第２移動体に配置された車載装置３０において、通信部３１が、速度分布情報２３ａを取得し、解釈部３２が、通信部が取得した速度分布情報２３ａに基づいて、第２移動体が所定の位置を移動する場合に適した適正速度を推定し、提示部３４が適正速度情報を提示している。このようにすることにより、サーバ２０から取得した速度分布情報２３ａに基づいて第２移動体が移動するに適した速度を推定することができ、最適な速度を案内することができる。
【０１０４】
なお、第２実施例においては、速度分布情報２３ａの要求を車載装置３０で判断して送信する場合は、自車情報を送信する必要はなく、自車情報生成部３５は省略できる。
【０１０５】
また、上述した２つの実施例では、適正速度を推定可能な場合は推定していたが、速度分布情報２３ａのみを送信または提示するようにしてもよい。この場合は、車載装置３０は、速度分布情報２３ａの要求のみ行えばよく自車情報の送信は必須ではない。
【０１０６】
また、実施例に示した車載装置３０とナビゲーション装置とを連動させて、速度分布情報２３ａや適正速度情報をナビゲーション装置が案内する経路上に表示するようにしてもよい。
【０１０７】
また、適正速度情報は、速度の数値を送信や提示するのみではなく、信号の無い位置で、最低速度が０ｋｍ／ｈ（一時停止）となる傾向が多い場合は、一時停止することを送信や提示するようにしてもよい。
【０１０８】
また、本発明は上記実施例に限定されるものではない。即ち、当業者は、従来公知の知見に従い、本発明の骨子を逸脱しない範囲で種々変形して実施することができる。かかる変形によってもなお本発明の情報送信装置および情報提示装置の構成を具備する限り、勿論、本発明の範疇に含まれるものである。
【符号の説明】
【０１０９】
１０      車載装置（第１移動体）
２０      サーバ（情報送信装置）
２１      通信部（収集部、送信部、第２速度取得部）
２２      生成部（生成部、推定部）
２３ａ    速度分布情報
３０      車載装置（第２移動体、情報提示装置）
３１      通信部（分布情報取得部）
３２      解釈部（推定部）
３４      提示部
３４ａ    メータ（表示部）
３４ｂ    目盛
３４ｄ    速度計（第１表示部）
３４ｅ    表示枠（第２表示部）
Ｓ１１    自車情報収集（収集工程）
Ｓ１２    速度分布情報生成（生成工程）
Ｓ２５    速度分布情報、適正速度情報送信（送信工程）
Ｓ４１    速度分布情報、適正速度情報受信（分布情報取得工程）
Ｓ４２    速度分布情報、適正速度情報表示（表示工程）
Ｓ５１    速度分布情報受信（分布情報取得工程）
Ｓ５３    適正速度推定（推定工程）
Ｓ５４    速度分布情報、適正速度情報提示（提示工程）
【図１】
2020057426.tif 000003
【図２】
2020057426.tif 000004
【図３】
2020057426.tif 000005
【図４】
2020057426.tif 000006
【図５】
2020057426.tif 000007
【図６】
2020057426.tif 000008
【図７】
2020057426.tif 000009
【図８】
2020057426.tif 000010
【図９】
2020057426.tif 000011
【図１０】
2020057426.tif 000012